(57)【要約】【課題】入力画像を高解像度で表示できる安価で、高速処理が可能な画像表示装置を提供する。【解決手段】入力画像を互いに一部重複するように複数の部分画像に分割する画像分割部１２と、複数の部分画像をそれぞれ拡大して複数の拡大部分画像を生成する画像拡大部１３と、複数の拡大部分画像から空間的に互いに異なる表示位置に対応する複数の出力画像を生成する出力画像生成部１５と、複数の出力画像を順次表示する画像表示部１７と、複数の出力画像の順次の表示に同期して、各出力画像が対応する表示位置に表示されるように、画像表示部１７による表示位置を空間的にシフトする画素ずらし制御部１８と、を有する。【選択図】図１
2008096956.tif 000002
【特許請求の範囲】
【請求項１】
入力画像を互いに一部重複するように複数の部分画像に分割するステップと、
前記複数の部分画像をそれぞれ拡大して複数の拡大部分画像を生成するステップと、
前記複数の拡大部分画像から空間的に互いに異なる表示位置に対応する複数の出力画像を生成するステップと、
前記複数の出力画像が画像表示部によりそれぞれ対応する表示位置に順次表示されるように、前記画像表示部による出力画像の表示位置を空間的にシフトしながら、前記複数の出力画像を前記画像表示部により順次表示するステップと、
を含むことを特徴とする画像表示方法。
【請求項２】
入力画像をサンプリングするステップと、
前記サンプリングした画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像が画像表示部によりそれぞれ対応する表示位置に順次表示されるように、前記画像表示部による出力画像の表示位置を空間的にシフトしながら、前記複数の出力画像を前記画像表示部により順次表示するステップと、
を含むことを特徴とする画像表示方法。
【請求項３】
画像を撮像するステップと、
前記撮像した画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像が画像表示部によりそれぞれ対応する表示位置に順次表示されるように、前記画像表示部による出力画像の表示位置を空間的にシフトしながら、前記複数の出力画像を前記画像表示部により順次表示するステップと、
を含むことを特徴とする画像表示方法。
【請求項４】
入力画像をサンプリングするステップと、
前記サンプリングした画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像に所要のデータをそれぞれスーパーインポーズするステップと、
前記スーパーインポーズした複数の出力画像が画像表示部によりそれぞれ対応する表示位置に順次表示されるように、前記画像表示部による出力画像の表示位置を空間的にシフトしながら、前記スーパーインポーズした複数の出力画像を前記画像表示部により順次表示するステップと、
を含むことを特徴とする画像表示方法。
【請求項５】
画像を撮像するステップと、
前記撮像した画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像に所要のデータをそれぞれスーパーインポーズするステップと、
前記スーパーインポーズした複数の出力画像が画像表示部によりそれぞれ対応する表示位置に順次表示されるように、前記画像表示部による出力画像の表示位置を空間的にシフトしながら、前記スーパーインポーズした複数の出力画像を前記画像表示部により順次表示するステップと、
を含むことを特徴とする画像表示方法。
【請求項６】
入力画像を互いに一部重複するように複数の部分画像に分割する画像分割部と、
前記複数の部分画像をそれぞれ拡大して複数の拡大部分画像を生成する画像拡大部と、
前記複数の拡大部分画像から空間的に互いに異なる表示位置に対応する複数の出力画像を生成する出力画像生成部と、
前記複数の出力画像を順次表示する画像表示部と、
前記複数の出力画像の順次の表示に同期して、各出力画像が対応する表示位置に表示されるように、前記画像表示部による表示位置を空間的にシフトする画素ずらし制御部と、
を有することを特徴とする画像表示装置。
【請求項７】
入力画像をサンプリングするサンプリング部と、
前記サンプリング部でサンプリングした画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像を順次表示する画像表示部と、
前記画像表示部に前記複数の出力画像を順次表示するのに同期して、各出力画像が対応する表示位置に表示されるように、前記画像表示部による表示位置を空間的にシフトする画素ずらし制御部と、
を有することを特徴とする画像表示装置。
【請求項８】
画像を撮像する撮像部と、
前記撮像部で撮像した画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像を順次表示する画像表示部と、
前記画像表示部に前記複数の出力画像を順次表示するのに同期して、各出力画像が対応する表示位置に表示されるように、前記画像表示部による表示位置を空間的にシフトする画素ずらし制御部と、
を有することを特徴とする画像表示装置。
【請求項９】
入力画像をサンプリングするサンプリング部と、
前記サンプリング部でサンプリングした画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像に所要のデータをそれぞれスーパーインポーズするスーパーインポーズ部と、
前記スーパーインポーズ部でスーパーインポーズした複数の出力画像を順次表示する画像表示部と、
前記画像表示部に前記スーパーインポーズした複数の出力画像を順次表示するのに同期して、各出力画像が対応する表示位置に表示されるように、前記画像表示部による表示位置を空間的にシフトする画素ずらし制御部と、
を有することを特徴とする画像表示装置。
【請求項１０】
画像を撮像する撮像部と、
前記撮像部で撮像した画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像に所要のデータをそれぞれスーパーインポーズするスーパーインポーズ部と、
前記スーパーインポーズ部でスーパーインポーズした複数の出力画像を順次表示する画像表示部と、
前記画像表示部に前記スーパーインポーズした複数の出力画像を順次表示するのに同期して、各出力画像が対応する表示位置に表示されるように、前記画像表示部による表示位置を空間的にシフトする画素ずらし制御部と、
を有することを特徴とする画像表示装置。
【請求項１１】
前記画像分割部による複数の部分画像の重複領域を設定する画像分割パラメータ入力部を有することを特徴とする請求項６〜１０のいずれか一項に記載の画像表示装置。
【請求項１２】
前記複数の部分画像をそれぞれ記憶する複数の部分画像メモリと、前記複数の拡大部分画像をそれぞれ記憶する複数の拡大部分画像メモリと、前記複数の出力画像をそれぞれ記憶する複数の出力画像メモリとを有することを特徴とする請求項６〜１１のいずれか一項に記載の画像表示装置。
【請求項１３】
前記画像拡大部は前記複数の部分画像をそれぞれ拡大する複数の画像拡大回路を有し、
前記出力画像生成部は前記複数の出力画像をそれぞれ生成する複数の出力画像生成回路を有することを特徴とする請求項６〜１２のいずれか一項に記載の画像表示装置。
【発明の詳細な説明】
【技術分野】
【０００１】
本発明は、入力画像を高解像度で表示する画像表示方法および画像表示装置に関するものである。
【背景技術】
【０００２】
近年、高精細テレビ（ＨＤＴＶ：High Definition Television）の普及により、ＨＤ解像度のコンテンツが広く提供されるようになってきている。また、表示デバイスにおいても、ＨＤ対応のものが多くなってきている。
【０００３】
一方、最近では、液晶ディスプレイ（ＬＣＤ：Liquid Crystal Display）、プラズマディスプレイ（ＰＤＰ：Plasma Display Panel）、反射型液晶ディスプレイ（ＬＣＯＳ：Liquid Crystal On Silicon）などのドットマトリックスタイプのフラットパネルディスプレイ（ＦＰＤ：Flat Panel Display）として、大画面のものが種々提案されている。ところが、このような大画面のドットマトリックスタイプの表示デバイスにおいては、ＨＤ対応であっても、視聴距離によっては表示画素が見えてしまって、画質の低下として認識されてしまうことが懸念される。
【０００４】
これを防止する一つの方法として、表示デバイスの画素数を増加させて、更なる高解像度化を図ることが考えられる。また、他の方法として、入力画像から表示デバイスの解像度に対応する複数のサブフレーム画像を生成し、それらのサブフレーム画像を画素ずらしして表示することが考えられる（例えば、特許文献１参照）。
【特許文献１】特開２００４−７０３５８号公報
【発明の開示】
【発明が解決しようとする課題】
【０００５】
しかしながら、表示デバイスの画素数を増加させる方法は、ドットマトリックスタイプの表示デバイスでは、画素数を増やすと、コストアップが著しくなるという新たな問題が生じることになる。また、たとえ画素数を増やして高解像度化を実現したとしても、その画素数に対応するようなコンテンツの高画素化は、放送フォーマットの制限から近い将来では実現困難である。
【０００６】
また、上記の特許文献１に開示の方法では、画素ずらし数に応じて入力画像の画素数を演算により倍増し、その倍増処理した画像から画素ずらし位置に対応するサブフレーム画像を生成するようにしている。このため、例えば、表示デバイスがＨＤ対応で、入力画像がＨＤである場合に、４点画素ずらしを行おうとすると、ＨＤ解像度の入力画像の画素数を４倍に拡大処理してから、４点画素ずらし位置に対応する４画像分のＨＤ解像度のサブフレーム画像を生成する必要がある。
【０００７】
しかし、このようにＨＤ解像度の入力画像の画素数を倍増処理してから、ＨＤ解像度のサブフレーム画像を生成するには、使用する画像処理回路が高価となり、処理速度も追いつかないため、装置全体のコストアップおよび処理速度の低下を招くことになる。
【０００８】
したがって、かかる点に鑑みてなされた本発明の目的は、入力画像を高解像度で表示できる安価で、高速処理が可能な画像表示方法および画像表示装置を提供することにある。
【課題を解決するための手段】
【０００９】
上記目的を達成する請求項１に係る画像表示方法の発明は、
入力画像を互いに一部重複するように複数の部分画像に分割するステップと、
前記複数の部分画像をそれぞれ拡大して複数の拡大部分画像を生成するステップと、
前記複数の拡大部分画像から空間的に互いに異なる表示位置に対応する複数の出力画像を生成するステップと、
前記複数の出力画像が画像表示部によりそれぞれ対応する表示位置に順次表示されるように、前記画像表示部による出力画像の表示位置を空間的にシフトしながら、前記複数の出力画像を前記画像表示部により順次表示するステップと、
を含むことを特徴とするものである。
【００１０】
請求項２に係る画像表示方法の発明は、
入力画像をサンプリングするステップと、
前記サンプリングした画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像が画像表示部によりそれぞれ対応する表示位置に順次表示されるように、前記画像表示部による出力画像の表示位置を空間的にシフトしながら、前記複数の出力画像を前記画像表示部により順次表示するステップと、
を含むことを特徴とするものである。
【００１１】
請求項３に係る画像表示方法の発明は、
画像を撮像するステップと、
前記撮像した画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像が画像表示部によりそれぞれ対応する表示位置に順次表示されるように、前記画像表示部による出力画像の表示位置を空間的にシフトしながら、前記複数の出力画像を前記画像表示部により順次表示するステップと、
を含むことを特徴とするものである。
【００１２】
請求項４に係る画像表示方法の発明は、
入力画像をサンプリングするステップと、
前記サンプリングした画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像に所要のデータをそれぞれスーパーインポーズするステップと、
前記スーパーインポーズした複数の出力画像が画像表示部によりそれぞれ対応する表示位置に順次表示されるように、前記画像表示部による出力画像の表示位置を空間的にシフトしながら、前記スーパーインポーズした複数の出力画像を前記画像表示部により順次表示するステップと、
を含むことを特徴とするものである。
【００１３】
請求項５に係る画像表示方法の発明は、
画像を撮像するステップと、
前記撮像した画像を互いに一部重複するように複数の部分画像に分割するステップと、
前記複数の部分画像をそれぞれ拡大または縮小して複数のスケーリング部分画像を生成するステップと、
前記複数のスケーリング部分画像から空間的に互いに異なる表示位置に対応する複数の出力画像を生成するステップと、
前記複数の出力画像に所要のデータをそれぞれスーパーインポーズするステップと、
前記スーパーインポーズした複数の出力画像が画像表示部によりそれぞれ対応する表示位置に順次表示されるように、前記画像表示部による出力画像の表示位置を空間的にシフトしながら、前記スーパーインポーズした複数の出力画像を前記画像表示部により順次表示するステップと、
を含むことを特徴とするものである。
【００１４】
さらに、上記目的を達成する請求項６に係る画像表示装置の発明は、
入力画像を互いに一部重複するように複数の部分画像に分割する画像分割部と、
前記複数の部分画像をそれぞれ拡大して複数の拡大部分画像を生成する画像拡大部と、
前記複数の拡大部分画像から空間的に互いに異なる表示位置に対応する複数の出力画像を生成する出力画像生成部と、
前記複数の出力画像を順次表示する画像表示部と、
前記複数の出力画像の順次の表示に同期して、各出力画像が対応する表示位置に表示されるように、前記画像表示部による表示位置を空間的にシフトする画素ずらし制御部と、
を有することを特徴とするものである。
【００１５】
請求項７に係る画像表示装置の発明は、
入力画像をサンプリングするサンプリング部と、
前記サンプリング部でサンプリングした画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像を順次表示する画像表示部と、
前記画像表示部に前記複数の出力画像を順次表示するのに同期して、各出力画像が対応する表示位置に表示されるように、前記画像表示部による表示位置を空間的にシフトする画素ずらし制御部と、
を有することを特徴とするものである。
【００１６】
請求項８に係る画像表示装置の発明は、
画像を撮像する撮像部と、
前記撮像部で撮像した画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像を順次表示する画像表示部と、
前記画像表示部に前記複数の出力画像を順次表示するのに同期して、各出力画像が対応する表示位置に表示されるように、前記画像表示部による表示位置を空間的にシフトする画素ずらし制御部と、
を有することを特徴とするものである。
【００１７】
請求項９に係る画像表示装置の発明は、
入力画像をサンプリングするサンプリング部と、
前記サンプリング部でサンプリングした画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像に所要のデータをそれぞれスーパーインポーズするスーパーインポーズ部と、
前記スーパーインポーズ部でスーパーインポーズした複数の出力画像を順次表示する画像表示部と、
前記画像表示部に前記スーパーインポーズした複数の出力画像を順次表示するのに同期して、各出力画像が対応する表示位置に表示されるように、前記画像表示部による表示位置を空間的にシフトする画素ずらし制御部と、
を有することを特徴とするものである。
【００１８】
請求項１０に係る画像表示装置の発明は、
画像を撮像する撮像部と、
前記撮像部で撮像した画像を互いに一部重複するように複数の部分画像に分割する画像分割部と、
前記画像分割部で分割した複数の部分画像をそれぞれ拡大または縮小して複数のスケーリング部分画像を生成する画像スケーリング部と、
前記画像スケーリング部で生成した複数のスケーリング部分画像から空間的に互いに異なる表示位置に対応する複数の出力画像を生成する出力画像生成部と、
前記出力画像生成部で生成した複数の出力画像に所要のデータをそれぞれスーパーインポーズするスーパーインポーズ部と、
前記スーパーインポーズ部でスーパーインポーズした複数の出力画像を順次表示する画像表示部と、
前記画像表示部に前記スーパーインポーズした複数の出力画像を順次表示するのに同期して、各出力画像が対応する表示位置に表示されるように、前記画像表示部による表示位置を空間的にシフトする画素ずらし制御部と、
を有することを特徴とするものである。
【００１９】
請求項１１に係る発明は、請求項６〜１０のいずれか一項に記載の画像表示装置において、
前記画像分割部による複数の部分画像の重複領域を設定する画像分割パラメータ入力部を有することを特徴とするものである。
【００２０】
請求項１２に係る発明は、請求項６〜１１のいずれか一項に記載の画像表示装置において、
前記複数の部分画像をそれぞれ記憶する複数の部分画像メモリと、前記複数の拡大部分画像をそれぞれ記憶する複数の拡大部分画像メモリと、前記複数の出力画像をそれぞれ記憶する複数の出力画像メモリとを有することを特徴とするものである。
【００２１】
請求項１３に係る発明は、請求項６〜１２のいずれか一項に記載の画像表示装置において、
前記画像拡大部は前記複数の部分画像をそれぞれ拡大する複数の画像拡大回路を有し、
前記出力画像生成部は前記複数の出力画像をそれぞれ生成する複数の出力画像生成回路を有することを特徴とするものである。
【発明の効果】
【００２２】
本発明によれば、入力画像を互いに一部重複するように複数の部分画像に分割してから、その分割された複数の部分画像をそれぞれ拡大または縮小し、これら複数の拡大または縮小したスケーリング部分画像から空間的に互いに異なる表示位置に対応する複数の出力画像を生成して、これら生成された複数の出力画像を、画像表示部によりそれぞれ対応する表示位置に順次表示されるように、空間的にシフトしながら表示するようにしたので、入力画像を高解像度で表示することができるとともに、高速処理が必要な画像処理を、低いレートの処理回路を複数用いることで、安価な回路で構成することができる。
【発明を実施するための最良の形態】
【００２３】
以下、本発明の実施の形態について、図を参照して説明する。
【００２４】
（第１実施の形態）
図１は、本発明の第１実施の形態に係る画像表示装置の概略構成を示すブロック図である。この画像表示装置は、入力画像メモリ１１、画像分割部１２、画像拡大部１３、拡大部分画像メモリ１４ａ，１４ｂ、出力画像生成部１５、出力画像メモリ１６、画像表示部１７、画素ずらし制御部１８、およびタイミングジェネレータ（ＴＧ）１９を有している。
【００２５】
本実施の形態は、水平１４４０画素×垂直７２０ラインのＨＤ解像度の入力画像を互いに一部重複するように２分割して、それぞれ水平方向の画素数を２倍に拡大し、これら２つの拡大部分画像から実解像度が１４４０×７２０の画像表示部１７における水平方向の画素ピッチに対して、１／２画素ピッチずれた第１の表示位置および第２の表示位置に対応する２つの出力画像を生成し、これら２つの出力画像を画像表示部１７において水平方向に１／２画素ピッチずらして、すなわち２点画素ずらしして表示することにより、高解像度化を図るものである。
【００２６】
このため、先ず、入力画像メモリ１１に格納されている入力画像から、画像分割部１２により、水平１画素目から７２２画素目まで、垂直１ラインから７２０ラインまでを読み出して、７２２×７２０画素の第１部分画像として画像拡大部１３に出力し、ここで、例えば線形補間やバイキュービック関数による補間等の公知の画素補間方法により第１部分画像の水平方向の画素数を２倍に拡大して、１４４４×７２０画素の第１拡大部分画像として拡大部分画像メモリ１４ａに記憶する。
【００２７】
続いて、画像分割部１２により、入力画像メモリ１１に格納されている入力画像から、第１部分画像と互いに一部重複するように、水平７１８画素目から１４４０画素目まで、垂直１ラインから７２０ラインまでを読み出して、７２２×７２０画素の第２部分画像として画像拡大部１３に出力し、ここで第１部分画像の場合と同様にして、水平方向の画素数を２倍に拡大して、１４４４×７２０画素の第２拡大部分画像として拡大部分画像メモリ１４ｂに記憶する。
【００２８】
拡大部分画像メモリ１４ａおよび１４ｂに、第１拡大部分画像および第２拡大部分画像をそれぞれ格納したら、出力画像生成部１５において、第１拡大部分画像および第２拡大部分画像から重複部分が連続するように奇数番の画素を取り出して、ＨＤ解像度の画像表示部１７に対応する１４４０×７２０画素の第１出力画像を生成し、これを出力画像メモリ１６に記憶する。
【００２９】
この出力画像メモリ１６に記憶された第１出力画像は、ＴＧ１９により出力画像メモリ１６および画素ずらし制御部１８を制御して、画像表示部１７により第１の表示位置に表示する。
【００３０】
続いて、出力画像生成部１５は、拡大部分画像メモリ１４ａおよび１４ｂに記憶されている第１拡大部分画像および第２拡大部分画像から重複部分が連続するように偶数番の画素を取り出して、ＨＤ解像度の画像表示部１７に対応する１４４０×７２０画素の第２出力画像を生成し、これを出力画像メモリ１６に記憶する。
【００３１】
この出力画像メモリ１６に記憶された第２出力画像は、ＴＧ１９により出力画像メモリ１６および画素ずらし制御部１８を制御して、画像表示部１７により第１の表示位置とは水平方向に１／２画素ピッチ移動した第２の表示位置に表示する。
【００３２】
なお、画素ずらし制御部１８は、公知の構成、例えば画像表示部１７の表示面側に液晶パネルおよび複屈折板を配置し、液晶パネルに選択的に電圧を印加することにより画像表示部１７の表示画素位置を光学的にシフトするように構成したり、あるいは圧電素子により画像表示部１７全体を直接的に変位させて表示画素位置を機械的にシフトするように構成したりすることができる。
【００３３】
図２〜図６は、本実施の形態による画像処理の概略動作を説明するもので、図２は入力画像の概略図、図３は部分画像の概略図、図４は拡大部分画像の概略図、図５は部分画像から拡大部分画像を形成する過程を説明するための図、および図６は出力画像の概略図を示している。ここでは、入力画像メモリ１１に格納される入力画像を、図２に示すように、水平ＡからＥの５画素、垂直３ラインの合計１５画素に簡略化している。なお、図２および図３では、第１ラインの画素にサフィックス「１」を、第２ラインの画素にサフィックス「２」を、第３ラインの画素にサフィックス「３」をそれぞれ付加しているが、以下の説明において、ラインを特定しない場合には、サフィックスを省略する。
【００３４】
先ず、画像分割部１２において、図２に示す入力画像を、各ラインにおいて中央の画素Ｃが互いに重複して２分割するように、入力画像メモリ１１の読み出しを制御して、図３（ａ）に示す水平ＡからＣまでの３画素、垂直３ラインの合計９画素からなる第１部分画像を生成し、この第１部分画像を画像拡大部１３において、水平方向の画素数を２倍に拡大して、図４（ａ）に示すように、水平６画素×垂直３ライン（１番画素〜１８番画素）の第１拡大部分画像を生成する。
【００３５】
続いて、画像分割部１２において、入力画像メモリ１１の読み出しを制御して、図２に示す入力画像から図３（ｂ）に示す水平ＣからＥまでの３画素、垂直３ラインの合計９画素からなる第２部分画像を生成し、この第２部分画像を画像拡大部１３において、第１部分画像と同様に水平方向の画素数を２倍に拡大して、図４（ｂ）に示すように、水平６画素×垂直３ライン（１９番画素〜３６番画素）の第２拡大部分画像を生成する。
【００３６】
ここで、図５（ａ）を用いて、上記図３（ａ）の第１部分画像から図４（ａ）の第１拡大部分画像を生成する方法の一例を説明する。図５（ａ）は、第１部分画像の画素Ａ１，Ｂ１，Ｃ１，Ａ２，Ｂ２，Ｃ２，Ａ３，Ｂ３，Ｃ３と、第１拡大部分画像の画素１，２，３，４，５，６，７，８，９，１０，１１，１２，１３，１４，１５，１６，１７，１８との位置関係を示している。例えば、画素１１は、その周辺に位置する画素Ｂ１，Ｃ１，Ｂ２，Ｃ２から補間によって生成する。この画素１１の画素値は、画素Ｂ１，Ｃ１，Ｂ２，Ｃ２の画素値とそれぞれの画素に対応する重み付けの積和によって求められる４点補間法によって求める。
【００３７】
同様に、図５（ｂ）を用いて、上記図３（ｂ）の第２部分画像から図４（ｂ）の第２拡大部分画像を生成する方法の一例を説明する。図５（ｂ）は、第２部分画像の画素Ｃ１，Ｄ１，Ｅ１，Ｃ２，Ｄ２，Ｅ２，Ｃ３，Ｄ３，Ｅ３と、第２拡大部分画像の画素１９，２０，２１，２２，２３，２４，２５，２６，２７，２８，２９，３０，３１，３２，３３，３４，３５，３６との位置関係を示している。例えば、画素２６は、その周辺に位置する画素Ｃ１，Ｄ１，Ｃ２，Ｄ２から補間によって生成する。この画素２６の画素値は、画素Ｃ１，Ｄ１，Ｃ２，Ｄ２の画素値とそれぞれの画素に対応する重み付けの積和によって求められる４点補間法によって求める。
【００３８】
なお、画素補間の方法は、上記の例に限らず、回路規模や画像に応じて適切な補間方法を用いることができる。例えば、上記の例では、補間に使う画素を、近傍の２×２画素としたが、周辺４×４画素を使うバイキュービック補間法によって補間画素値を求めることもできる。
【００３９】
次に、出力画像生成部１５において、図４（ａ）および（ｂ）に示す第１拡大部分画像および第２拡大部分画像から、重複部分が連続するように奇数番の画素を取り出して、図６（ａ）に示すように、画像表示部１７に対応する画素（ここでは、５×３画素）の第１出力画像を生成し、これを画素ずらし制御部１８の制御のもとに画像表示部１７により第１の表示位置に表示する。すなわち、ここでは、図６（ａ）に示す第１出力画像を、第１ラインが図４（ａ）の第１拡大部分画像の１，３および５番画素と図４（ｂ）の第２拡大部分画像の２１および２３番画素、第２ラインが同じく図４（ａ）の第１拡大部分画像の７，９および１１番画素と図４（ｂ）の第２拡大部分画像の２７および２９番画素、第３ラインが同じく図４（ａ）の第１拡大部分画像の１３，１５および１７番画素と図４（ｂ）の第２拡大部分画像の３３および３５番画素からなる５×３画素で生成して、この第１出力画像を画素ずらし制御部１８の制御のもとに画像表示部１７により第１の表示位置に表示する。
【００４０】
続いて、出力画像生成部１５において、同様に図４（ａ）および（ｂ）に示す第１拡大部分画像および第２拡大部分画像から、重複部分が連続するように偶数番の画素を取り出して、図６（ｂ）に示すように、画像表示部１７に対応する画素（５×３画素）の第２出力画像を生成し、これを画素ずらし制御部１８の制御のもとに画像表示部１７により第１の表示位置から水平方向に１／２画素ピッチ移動した第２の表示位置に画素ずらしして表示する。すなわち、ここでは、図６（ｂ）に示す第２出力画像を、第１ラインが図４（ａ）の第１拡大部分画像の２および４番画素と図４（ｂ）の第２拡大部分画像の２０，２２および２４番画素、第２ラインが同じく図４（ａ）の第１拡大部分画像の８および１０番画素と図４（ｂ）の第２拡大部分画像の２６，２８および３０番画素、第３ラインが同じく図４（ａ）の第１拡大部分画像の１４および１６番画素と図４（ｂ）の第２拡大部分画像の３２，３４および３６番画素からなる５×３画素で生成して、この第２出力画像を画素ずらし制御部１８の制御のもとに画像表示部１７により第１の表示位置から水平方向に１／２画素ピッチ移動した第２の表示位置に画素ずらしして表示する。
【００４１】
以上のように、本実施の形態では、１４４０×７２０画素のＨＤ解像度の入力画像を互いに一部重複するように水平方向に２分割して、７２２×７２０画素からなる２つの部分画像を形成してから、これら部分画像の水平方向の画素数をそれぞれ２倍に拡大して、それぞれ１４４４×７２０画素からなる２つの拡大部分画像を生成し、これら２つの拡大部分画像から実解像度が１４４０×７２０の画像表示部１７における水平方向の画素ピッチに対して１／２画素ピッチずれた第１の表示位置および第２の表示位置に対応する２つの１４４０×７２０画素の出力画像を生成して、これら２つの出力画像を画像表示部１７において水平方向に２点画素ずらしして表示するので、１４４０×７２０画素のＨＤ解像度の入力画像を実解像度が１４４０×７２０の画像表示部１７を用いて、水平方向の解像度を２倍にして表示することができる。しかも、１４４０×７２０画素の入力画像を水平方向に２分割してから、水平方向の画素数を２倍に拡大処理し、その拡大処理された２つの拡大部分画像から互いに異なる表示位置の２つの出力画像を生成するので、安価で、かつ高速処理可能に構成することができる。
【００４２】
（第２実施の形態）
図７は、本発明の第２実施の形態に係る画像表示装置の概略構成を示すブロック図である。
【００４３】
本実施の形態は、図１に示した画像表示装置において、画像分割部１２により２分割される部分画像の重複領域の幅を設定する画像分割パラメータ入力部２１と、２分割された部分画像を別々に記憶する部分画像メモリ２２ａ，２２ｂとを付加し、画像分割パラメータ入力部２１で設定された画像分割パラメータに基づいて、画像分割部１２により入力画像メモリ１１の読み出しを制御して、入力画像を第１部分画像および第２部分画像に２分割して部分画像メモリ２２ａ，２２ｂに別々に記憶し、これら部分画像メモリ２２ａ，２２ｂに記憶された第１部分画像および第２部分画像を、画像拡大部１３でそれぞれ水平方向の画素数を２倍に拡大して拡大部分画像メモリ１４ａ，１４ｂに記憶するようにしたもので、その他の構成および動作は第１実施の形態と同様である。
【００４４】
このように、画像分割パラメータ入力部２１を設けることにより、画像拡大部１３で使用される画素補間方法に応じて、分割される部分画像の重複領域を適切に設定することができるので、画像拡大部１３で水平方向の画素数が拡大された拡大部分画像から出力画像を生成する際に、画像分割部１２で２分割した部分画像のつなぎ目の不自然さをなくすことができる。また、部分画像メモリ２２ａ，２２ｂを設けて、画像分割部１２で２分割された部分画像を記憶するようにしたので、画像処理のタイミング調整を容易にできる利点がある。
【００４５】
（第３実施の形態）
図８は、本発明の第３実施の形態に係る画像表示装置の概略構成を示すブロック図である。この画像表示装置は、入力画像メモリ３１、画像分割部３２、部分画像メモリ３３ａ〜３３ｄ、画像拡大部３４、拡大部分画像メモリ３５ａ〜３５ｄ、出力画像生成部３６、出力画像メモリ３７ａ〜３７ｄ、画像表示部３８、画素ずらし制御部３９、およびタイミングジェネレータ（ＴＧ）４０を有している。なお、画像拡大部３４は画像拡大回路３４ａ〜３４ｄを有しており、出力画像生成部３６は出力画像生成回路３６ａ〜３６ｄを有している。
【００４６】
本実施の形態は、水平１９２０画素×垂直１０８０ラインのＨＤ解像度の入力画像を互いに一部重複するように水平方向および垂直方向に４分割して、それぞれ水平方向および垂直方向の画素数を２倍に拡大し、これら４つの拡大部分画像から実解像度が１９２０×１０８０の画像表示部３８における水平方向、垂直方向および斜め方向の画素ピッチに対して、それぞれ１／２画素ピッチずれた第１〜４の表示位置に対応する４つの出力画像を生成し、これら４つの出力画像を画像表示部３８において４点画素ずらしして表示することにより、高解像度化を図るものである。
【００４７】
このため、先ず、画像分割部３２により入力画像メモリ３１の読み出しを制御して、入力画像メモリ３１に格納されている入力画像の水平１画素目から９６４画素目まで、垂直１ラインから５４４ラインまでを第１部分画像として部分画像メモリ３３ａに記憶し、水平９５７画素目から１９２０画素目まで、垂直１ラインから５４４ラインまでを第２部分画像として読み出して部分画像メモリ３３ｂに記憶し、水平１画素目から９６４画素目まで、垂直５３７ラインから１０８０ラインまでを第３部分画像として部分画像メモリ３３ｃに記憶し、水平９５７画素目から１９２０画素目まで、垂直５３７ラインから１０８０ラインまでを第４部分画像として読み出して部分画像メモリ３３ｄに記憶する。
【００４８】
部分画像メモリ３３ａに記憶された第１部分画像は、対応する画像拡大回路３４ａにより公知の画素補間法で水平方向および垂直方向の画素数をそれぞれ２倍に拡大して、１９２８×１０８８画素の第１拡大部分画像として対応する拡大部分画像メモリ３５ａに記憶する。同様に、部分画像メモリ３３ｂ〜３３ｄに記憶された第２〜４部分画像も、対応する画像拡大回路３４ｂ〜３４ｄにより水平方向および垂直方向の画素数をそれぞれ２倍に拡大して、それぞれ１９２８×１０８８画素の第２〜４拡大部分画像として対応する拡大部分画像メモリ３５ｂ〜３５ｄに記憶する。
【００４９】
拡大部分画像メモリ３５ａ〜３５ｄに第１〜４拡大部分画像をそれぞれ記憶したら、出力画像生成回路３６ａにおいて、拡大部分画像メモリ３５ａ〜３５ｄに記憶されている第１〜４拡大部分画像から、重複部分が連続するように、画像表示部３８による第１の表示位置に対応する１９２０×１０８０画素からなる第１出力画像を生成して対応する出力画像メモリ３７ａに記憶する。同様に、出力画像生成回路３６ｂ〜３６ｄにおいて、拡大部分画像メモリ３５ａ〜３５ｄに記憶されている第１〜４拡大部分画像から、重複部分が連続するように、画像表示部３８による第１の表示位置に対して水平方向、垂直方向および斜め方向にそれぞれ１／２画素ピッチずれた第２〜４の表示位置に対応する１９２０×１０８０画素からなる第２〜４出力画像を生成して対応する出力画像メモリ３７ｂ〜３７ｄに記憶する。
【００５０】
これら出力画像メモリ３７ａ〜３７ｄに記憶された第１〜４出力画像は、ＴＧ４０により出力画像メモリ３７ａ〜３７ｄおよび画素ずらし制御部３９を制御して、画像表示部３８により第１〜４の表示位置に画素ずらしして表示する。なお、画素ずらし制御部３９は、上記実施の形態と同様に、画像表示部３８の表示画素位置を光学的あるいは機械的にシフトするように構成する。
【００５１】
図９〜図１２は、本実施の形態による画像処理の概略動作を説明するもので、図９は入力画像の概略図、図１０は部分画像の概略図、図１１は拡大部分画像の概略図、および図１２は出力画像の概略図を示している。ここでは、入力画像メモリ３１に格納される入力画像を、図９に示すように、水平５画素、垂直５ラインの合計Ａ〜Ｙの２５画素に簡略化している。
【００５２】
先ず、画像分割部３２において、入力画像メモリ１１の読み出しを制御することにより、図９に示す入力画像を互いに一部重複するように、図１０（ａ）〜（ｄ）に示す第１〜４部分画像に４分割する。すなわち、第１部分画像は、図１０（ａ）に示すように第１〜３番ラインの第１〜３番画素（Ａ，Ｂ，Ｃ；Ｆ，Ｇ，Ｈ；Ｋ，Ｌ，Ｍ）の３×３画素とし、第２部分画像は、図１０（ｂ）に示すように第１〜３番ラインの第３〜５番画素（Ｃ，Ｄ，Ｅ；Ｈ，Ｉ，Ｊ；Ｍ，Ｎ，Ｏ）の３×３画素とし、第３部分画像は、図１０（ｃ）に示すように第３〜５番ラインの第１〜３番画素（Ｋ，Ｌ，Ｍ；Ｐ，Ｑ，Ｒ；Ｕ，Ｖ，Ｗ）の３×３画素とし、第４部分画像は、図１０（ｄ）に示すように第３〜５番ラインの第３〜５番画素（Ｍ，Ｎ，Ｏ；Ｒ，Ｓ，Ｔ；Ｗ，Ｘ，Ｙ）の３×３画素とする。
【００５３】
画像拡大回路３４ａ〜３４ｄでは、対応する第１〜４部分画像の水平方向および垂直方向の画素数をそれぞれ２倍に拡大して、図１１（ａ）〜（ｄ）に示すように、それぞれ６×６画素の第１〜４拡大部分画像を生成する。ここでは、第１拡大部分画像を図１１（ａ）に示すように１番〜３６番の画素で示しており、第２拡大部分画像は図１１（ｂ）に示すように３７番〜７２番の画素で示しており、第３拡大部分画像は図１１（ｃ）に示すように７３番〜１０８番の画素で示しており、第４拡大部分画像は図１１（ｄ）に示すように１０９番〜１４４番の画素で示している。
【００５４】
出力画像生成回路３６ａ〜３６ｄでは、第１〜４拡大部分画像から重複部分が連続するように、実解像度が５×５の画像表示部３８における水平方向、垂直方向および斜め方向の画素ピッチに対して、それぞれ１／２画素ピッチずれた第１〜４の表示位置に対応する図１２（ａ）〜（ｄ）に示すような５×５画素の第１〜４出力画像を生成する。
【００５５】
すなわち、ここでは、第１出力画像を、図１２（ａ）に示すように、第１ラインが図１１（ａ）の第１拡大部分画像の１，３および５番画素と図１１（ｂ）の第２拡大部分画像の３９および４１番画素、第２ラインが同じく図１１（ａ）の第１拡大部分画像の１３，１５および１７番画素と図１１（ｂ）の第２拡大部分画像の５１および５３番画素、第３ラインが同じく図１１（ａ）の第１拡大部分画像の２５，２７および２９番画素と図１１（ｂ）の第２拡大部分画像の６３および６５番画素、第４ラインが図１１（ｃ）の第３拡大部分画像の８５，８７および８９番画素と図１１（ｄ）の第４拡大部分画像の１２３および１２５番画素、第５ラインが同じく図１１（ｃ）の第３拡大部分画像の９７，９９および１０１番画素と図１１（ｄ）の第４拡大部分画像の１３５および１３７番画素からなる５×５画素で生成する。
【００５６】
同様に、第２出力画像は、図１２（ｂ）に示すように、第１ラインが図１１（ａ）の第１拡大部分画像の２および４番画素と図１１（ｂ）の第２拡大部分画像の３８，４０および４２番画素、同じく図１１（ａ）の第２ラインが第１拡大部分画像の１４および１６番画素と図１１（ｂ）の第２拡大部分画像の５０，５２および５４番画素、第３ラインが同じく図１１（ａ）の第１拡大部分画像の２６および２８番画素と図１１（ｂ）の第２拡大部分画像の６２，６４および６６番画素、第４ラインが図１１（ｃ）の第３拡大部分画像の８６および８８番画素と図１１（ｄ）の第４拡大部分画像の１２２，１２４および１２６番画素、第５ラインが同じく図１１（ｃ）の第３拡大部分画像の９８および１００番画素と図１１（ｄ）の第４拡大部分画像の１３４，１３６および１３８番画素からなる５×５画素で生成する。
【００５７】
第３出力画像は、図１２（ｃ）に示すように、第１ラインが図１１（ａ）の第１拡大部分画像の７，９および１１番画素と図１１（ｂ）の第２拡大部分画像の４５および４７番画素、第２ラインが同じく図１１（ａ）の第１拡大部分画像の１９，２１および２３番画素と図１１（ｂ）の第２拡大部分画像の５７および５９番画素、第３ラインが図１１（ｃ）の第３拡大部分画像の７９，８１および８３番画素と図１１（ｄ）の第４拡大部分画像の１１７および１１９番画素、第４ラインが同じく図１１（ｃ）の第３拡大部分画像の９１，９３および９５番画素と図１１（ｄ）の第４拡大部分画像の１２９および１３１番画素、第５ラインが同じく図１１（ｃ）の第３拡大部分画像の１０３，１０５および１０７番画素と図１１（ｄ）の第４拡大部分画像の１４１および１４３番画素からなる５×５画素で生成する。
【００５８】
同様に、第４出力画像は、図１２（ｄ）に示すように、第１ラインが図１１（ａ）の第１拡大部分画像の８および１０番画素と図１１（ｂ）の第２拡大部分画像の４４，４６および４８番画素、第２ラインが同じく図１１（ａ）の第１拡大部分画像の２０および２２番画素と図１１（ｂ）の第２拡大部分画像の５６，５８および６０番画素、第３ラインが図１１（ｃ）の第３拡大部分画像の８０および８２番画素と図１１（ｄ）の第４拡大部分画像の１１６，１１８および１２０番画素、第４ラインが同じく図１１（ｃ）の第３拡大部分画像の９２および９４番画素と図１１（ｄ）の第４拡大部分画像の１２８，１３０および１３２番画素、第５ラインが同じく図１１（ｃ）の第３拡大部分画像の１０４および１０６番画素と図１１（ｄ）の第４拡大部分画像の１４０，１４２および１４４番画素からなる５×５画素で生成する。
【００５９】
このようにして生成した第１〜４出力画像は、実解像度が５×５の画像表示部３８により第１〜４の表示位置に画素ずらしして表示する。
【００６０】
以上のように、本実施の形態では、１９２０×１０８０画素の入力画像を互いに一部重複するように水平方向および垂直方向に４分割して、９６４×５４４画素からなる４つの部分画像を形成してから、これら部分画像の水平方向および垂直方向の画素数をそれぞれ２倍に拡大して、それぞれ１９２８×１０８８画素からなる４つの拡大部分画像を生成し、これら４つの拡大部分画像から実解像度が１９２０×１０８０の画像表示部３８における水平方向、垂直方向および斜め方向の画素ピッチに対して１／２画素ピッチずれた第１〜４の表示位置に対応するそれぞれ１９２０×１０８０画素からなる４つの出力画像を生成し、これら４つの出力画像を画像表示部３８において４点画素ずらしして表示するので、１９２０×１０８０画素のＨＤ解像度の入力画像を実解像度が１９２０×１０８０の画像表示部３８を用いて、水平方向および垂直方向の解像度をそれぞれ２倍にして表示することができる。しかも、１９２０×１０８０画素の入力画像を水平方向および垂直方向に４分割してから、それぞれ水平方向および垂直方向の画素数を２倍に拡大処理し、その拡大処理された４つの拡大部分画像から４点画素ずらしに相当する互いに異なる第１〜４の表示位置の出力画像を生成するので、安価で、かつ高速処理可能に構成することができる。
【００６１】
（第４実施の形態）
図１３は、本発明の第４実施の形態に係る画像表示装置の概略構成を示すブロック図である。この画像表示装置は、サンプリング部５１、画像処理部５２、フレームメモリ５３、画像分割部５４、メモリ５５、画像スケーリング部である画像拡大部５６、出力画像生成部５７、出力画像メモリ部５８、画像表示制御部５９、画像表示部６０、画素ずらし制御部６１、およびタイミングジェネレータ（ＴＧ）６２を有している。
【００６２】
サンプリング部５１は、アナログ／デジタル変換回路（Ａ／Ｄ）５１ａを有しているとともに、ＨＤＭＩ（High-Definition Multimedia Interface）、ＤＶＩ（Digital Visual Interface）、ＨＤ−ＳＤＩ（High Definition - Serial Digital Interface）などに適合したレシーバ５１ｂを有しており、アナログ画像データが入力された場合には、それをＡ／Ｄ変換回路５１ａでデジタル画像データに変換して画像処理部５２へ転送し、デジタル画像データが入力された場合には、レシーバ５１ｂでサンプリングして、画像処理部５２へ転送する。
【００６３】
画像処理部５２では、サンプリング部５１から転送された画像データに対して、フレームレート変換、Ｉ／Ｐ変換、色処理（カラーマネージメント）、逆ガンマなどの画像処理を、フレームメモリ５３を使用しながら行い、その画像処理した画像データを、画像分割部５４へ転送する。
【００６４】
画像分割部５４では、画像処理された画像を互いに一部重複するように、メモリ５５を用いて分割し、その分割した部分画像を、それぞれ画像拡大部５６へ転送する。本実施の形態では、画像分割部５４において、入力画像を互いに一部重複するように４分割し、その各々の部分画像を、画像拡大部５６で拡大して拡大部分画像（スケーリング部分画像）を生成する。
【００６５】
このため、画像拡大部５６には、画像分割部５４による画像分割数に対応する４つの画像拡大回路５６ａ〜５６ｄを設け、これら画像拡大回路５６ａ〜５６ｄにおいて、それぞれ入力された部分画像を、線形補間やバイキュービック、ＮＥＤＩ（New Edge-Directed Interpolation）、最近傍法（Nearest Neighbor）などの手法で拡大して、生成した拡大部分画像を出力画像生成部５７へ転送する。ここで、画像拡大回路５６ａ〜５６ｄの各々は、例えば、最大画像サイズが約２Ｍ程度の汎用の画像処理ＩＣを用いて構成することができる。なお、画像拡大回路５６ａ〜５６ｄの各々に接続するメモリは、図示を省略している。
【００６６】
出力画像生成部５７では、画像拡大部５６の画像拡大回路５６ａ〜５６ｄから出力される４つの拡大部分画像に基づいて、画像表示部６０における画素ずらし数に応じた出力画像を生成し、それらを出力画像メモリ部５８に格納する。本実施の形態では、画像表示部６０において４点画素ずらしを行うものとする。このため、出力画像生成部５７では、４つの出力画像を生成して、出力画像メモリ部５８の４つの出力画像メモリ５８ａ〜５８ｄに格納する。
【００６７】
出力画像生成部５７は、出力画像メモリ５８ａ〜５８ｄに格納した出力画像を、画像表示制御部５９を介して画像表示部６０に供給するとともに、出力画像の表示位置（シフト位置）を示す表示位置情報を画素ずらし制御部６１に供給する。
【００６８】
本実施の形態では、画像表示部６０を、ＲＧＢに対応する３板の画像表示素子６３Ｒ，６３Ｇ，６３Ｂを有して構成する。このため、画像表示制御部５９には、画像表示素子６３Ｒ，６３Ｇ，６３Ｂに対応する画像表示制御回路５９Ｒ，５９Ｇ，５９Ｂを設け、これら画像表示制御回路５９Ｒ，５９Ｇ，５９Ｂにおいて、対応する画像表示素子６３Ｒ，６３Ｇ，６３Ｂに必要な駆動信号を生成するとともに、出力画像生成部５７からの出力画像を対応する画像表示素子６３Ｒ，６３Ｇ，６３Ｂへ転送する。
【００６９】
画像表示部６０は、上述した画像表示素子６３Ｒ，６３Ｇ，６３Ｂと、光源部６４と、色合成部６５と、画素ずらし部６６とを有している。画像表示素子６３Ｒ，６３Ｇ，６３Ｂは、本実施の形態では、それぞれ透過型ＬＣＤを用いて構成するが、反射型ＬＣＯＳや、ＤＭＤ等を用いて構成することもできる。また、光源部６４は、超高圧水銀ランプ、キセノンランプなどの白色光源を用いて３色（赤，緑，青）の照明光を得たり、３色のレーザ光源あるいはＬＥＤを用いたりして構成することができるが、本実施の形態では、赤色ＬＥＤ６４Ｒ，緑色ＬＥＤ６４Ｇ，青色ＬＥＤ６４Ｂの３色のＬＥＤ光源を用いて構成する。
【００７０】
このようにして、赤色ＬＥＤ６４Ｒ，緑色ＬＥＤ６４Ｇ，青色ＬＥＤ６４Ｂからの照明光により、それぞれ透過型ＬＣＤからなる対応する画像表示素子６３Ｒ，６３Ｇ，６３Ｂを照明しながら、画像表示制御回路５９Ｒ，５９Ｇ，５９Ｂからの出力画像を、対応する画像表示素子６３Ｒ，６３Ｇ，６３Ｂに書き込むことにより、各色の照明光を空間変調して各色の変調画像を生成する。
【００７１】
画像表示素子６３Ｒ，６３Ｇ，６３Ｂで生成された各色の変調画像は、例えば色合成プリズムからなる色合成部６５で合成して、変調方向が揃った直線偏光として画素ずらし部６６に入射させ、ここで選択的に画素ずらしして、観察者において観察可能に、投影光学系（図示せず）を経てスクリーン等に投影表示する。
【００７２】
画素ずらし部６６は、偏光回転手段としてのＴＮ液晶や強誘電性液晶などの液晶セルと、光路偏向手段としての水晶、ニオブ酸リチウム、ルチル、方解石、チリ硝石などの異方性結晶からなる複屈折板とを用いて構成する。
【００７３】
本実施の形態では、４点画素ずらしを行うため、画素ずらし部６６を、図１４に示すように、水平方向画素ずらし用の液晶セル６７ａおよび複屈折板６８ａと、垂直方向画素ずらし用の液晶セル６７ｂおよび複屈折板６８ｂとを有して構成し、液晶セル６７ａ，６７ｂを、出力画像の表示画素位置に応じて、画素ずらし制御部６１によりＯＮ／ＯＦＦ制御する。ここで、複屈折板６８ａは、偏光面が水平方向の偏光（Ｐ偏光）を水平方向に半画素ピッチ分シフトさせ、偏光面が垂直方向の偏光（Ｓ偏光）は、そのまま透過させるものとする。また、複屈折板６８ｂは、Ｓ偏光を垂直方向に半画素ピッチ分シフトさせ、Ｐ偏光はそのまま透過させるものとする。なお、画素のシフト量は、複屈折板６８ａ，６８ｂの厚さで、任意に設定することができる。
【００７４】
図１４（ａ）は、液晶セル６７ａ，液晶セル６７ｂがともにＯＦＦにある状態を示している。この状態では、色合成部６５を経て液晶セル６７ａに入射するＲ，Ｇ，Ｂの変調光の偏光面が水平方向のＰ偏光にあるとすると、液晶セル６７ａで９０°回転されてＳ偏光となって複屈折板６８ａで画素シフトされることなくそのまま透過し、さらに液晶セル６７ｂで９０°回転されてＰ偏光となって複屈折板６８ｂで画素シフトされることなくそのまま透過する。したがって、画素ずらし部６６を透過した後の表示画像における画素位置は、透過前の画素位置と同じ位置、すなわち一つの画素に注目すると画素位置Ａとなる。
【００７５】
図１４（ｂ）は、液晶セル６７ａ，９１ｂがともにＯＮにある状態を示している。この状態では、液晶セル６７ａに入射するＰ偏光は、液晶セル６７ａで偏光面が回転されることなく透過して、複屈折板６８ａで水平方向に半画素ピッチ分シフトされ、さらに液晶セル６７ｂでは偏光面が回転されることなくＰ偏光のまま透過するので、複屈折板６８ｂでは画素シフトされることなく透過する。したがって、画素ずらし部６６を透過した後の表示画像における画素位置は、水平方向に半画素ピッチずれた画素位置Ｂとなる。
【００７６】
図１４（ｃ）は、液晶セル６７ａがＯＦＦ、液晶セル６７ｂがＯＮにある状態を示している。この状態では、液晶セル６７ａに入射するＰ偏光は、液晶セル６７ａで偏光面が９０°回転されてＳ偏光となって複屈折板６８ａで画素シフトされることなくそのまま透過し、さらに液晶セル６７ｂをＳ偏光のまま透過するので、複屈折板６８ｂで垂直方向に半画素ピッチ分シフトされることになる。したがって、画素ずらし部６６を透過した後の表示画像における画素位置は、垂直方向に半画素ピッチずれた画素位置Ｃとなる。
【００７７】
図１４（ｄ）は、液晶セル６７ａがＯＮ、液晶セル６７ｂがＯＦＦにある状態を示している。この状態では、液晶セル６７ａに入射するＰ偏光は、液晶セル６７ａで偏光面が回転されることなく透過して、複屈折板６８ａで水平方向に半画素ピッチ分シフトされ、さらに液晶セル６７ｂで９０°回転されてＳ偏光となって複屈折板６８ｂで垂直方向に半画素ピッチ分シフトされることになる。したがって、画素ずらし部６６を透過した後の表示画像における画素位置は、水平および垂直方向に半画素ピッチずれた画素位置Ｄとなる。
【００７８】
なお、画素ずらし部６６は、上述したような液晶セルおよび複屈折板を用いる構成に限らず、プリズムを用いて構成したり（例えば、特許第２７０９０７０号公報参照）、ガルバノミラーを用いて構成したり（例えば、ＵＳ２００５／００７８０５６（Ａ１）参照）、あるいは液晶からなる偏向手段を用いて構成したり（例えば、特開２００３−２７９９２４号公報参照）、することができる。
【００７９】
図１３において、ＴＧ６２は、各ブロックに必要な信号を生成して、各ブロックに転送する。
【００８０】
以下、本実施の形態の具体例として、入力画像が７２０ｐのデジタル映像信号で、画像表示部６０を構成する画像表示素子６３Ｒ，６３Ｇ，６３Ｂの各々の有効サイズが、１２８０×７２０画素の場合を例にとって説明する。なお、７２０ｐの入力画像は、入力周波数が６０Ｈｚで、１フレームが１２８０×７２０画素のプログレッシブ画像からなる場合を意味している。
【００８１】
先ず、サンプリング部５１において、入力画像から１２８０×７２０画素のデジタル画像をサンプリングして画像処理部５２へ転送し、画像処理部５２において装置内部のクロックに同期するように、リサンプリング（フレームレート変換）する。その後、リサンプリングした画像（１２８０×７２０）は、画像分割部５４へ転送して、図１５に示すように、互いに一部重複する６４４×３６４画素の４つの部分画像＃１〜＃４に分割する。
【００８２】
画像分割部５４で分割した部分画像＃１〜＃４は、画像拡大部５６へ転送して、図１６（ａ）〜（ｄ）に示すように、部分画像＃１〜＃４の各々を拡大した拡大部分画像＃１〜＃４を生成する。ここでは、６４４×３６４画素からなる各部分画像を、バイキュービック法で２倍に補間処理して、１２８８×７２８画素の拡大部分画像を生成するものとする。この画像拡大部５６で生成した拡大部分画像＃１〜＃４は、出力画像生成部５７へ転送する。
【００８３】
出力画像生成部５７では、画像拡大部５６から転送された４つの拡大部分画像＃１〜＃４に基づいて、画像表示部６０における画素ずらし数に応じた４つの出力画像＃１〜＃４を生成する。このため、先ず、図１７に示すように、各々の拡大部分画像を、奇数行（１，３，５，・・・行目）の奇数列（１，３，５，・・・列目）を「Ａ」、奇数行の偶数列（２，４，６，・・・列目）を「Ｂ」、偶数行（２，４，６，・・・行目）の奇数列を「Ｃ」、偶数行の偶数列を「Ｄ」とすると、各々の拡大部分画像から「Ａ」だけを選択した画像（６４４×３６４）、「Ｂ」だけを選択した画像（６４４×３６４）、「Ｃ」だけを選択した画像（６４４×３６４）、「Ｄ」だけを選択した画像（６４４×３６４）を生成できるが、ここでは各々の拡大部分画像から、重複部分が連続するように、各々６４０×３６０の画像を生成する。
【００８４】
その後、図１８（ａ）〜（ｄ）に示すように、拡大部分画像＃１〜＃４から「Ａ」を選択した画像（６４０×３６０）、「Ｂ」を選択した画像（６４０×３６０）、「Ｃ」を選択した画像（６４０×３６０）、「Ｄ」を選択した画像（６４０×３６０）を、各々の拡大部分画像の重複部分が連続するように合成して、それぞれ１２８０×７２０画素からなる出力画像＃１〜＃４を生成し、それぞれ対応する出力画像メモリ５８ａ〜５８ｄに格納する。なお、ここでは、１２８０×７２０画素の４つの出力画像メモリ５８ａ〜５８ｄを設けたが、２５６０×１４４０画素の１画面分のメモリを設け、該メモリからの読み出し時に、それぞれ１２８０×７２０画素からなる出力画像＃１〜＃４を生成するようにすることもできる。
【００８５】
その後、出力画像生成部５７は、図１９に示すタイミングで、出力画像＃１〜＃４を画像表示制御部５９へ転送するとともに、画素ずらし制御部６１へ必要な表示位置情報（ここでは、液晶セル６７ａ，６７ｂをＯＮ／ＯＦＦする信号）を供給して、出力画像＃１〜＃４を、画像表示部６０により、図１４（ａ）〜（ｄ）に示したように、４点画素ずらしして表示する。
【００８６】
なお、画像表示部６０は、３板構成に限らず、４板構成や２板構成、あるいは単板構成とすることもできる。また、本実施の形態は、リア投影型やフロント投影型のプロジェクタに限らず、ＦＭＤ（フェイスマウントディスプレイ）、ＨＭＤ（ヘッドマウントディスプレイ）、電子ビューア（ＥＶＦ）などにも、有効に適用することができる。
【００８７】
以上のように、本実施の形態では、１２８０×７２０画素の入力画像を互いに一部重複するように水平方向および垂直方向に４分割して、６４４×３６４画素からなる４つの部分画像＃１〜＃４を形成してから、これら部分画像＃１〜＃４の水平方向および垂直方向の画素数をそれぞれ２倍にスケーリングして、それぞれ１２８８×７２８画素からなる４つの拡大部分画像＃１〜＃４を生成し、これら４つの拡大部分画像＃１〜＃４から実解像度が１２８０×７２０画素の画像表示部６０における水平方向、垂直方向および斜め方向の画素ピッチに対して１／２画素ピッチずれた表示位置Ａ〜Ｄに対応するそれぞれ１２８０×７２０画素からなる４つの出力画像＃１〜＃４を生成し、これら４つの出力画像＃１〜＃４を画像表示部６０において４点画素ずらしして表示するので、１２８０×７２０画素の入力画像を実解像度が１２８０×７２０画素の画像表示部６０を用いて、水平方向および垂直方向の解像度をそれぞれ２倍にして表示することができる。しかも、１２８０×７２０画素の入力画像を水平方向および垂直方向に４分割してから、それぞれ水平方向および垂直方向の画素数を２倍にスケーリングし、その拡大処理された４つの拡大部分画像から４点画素ずらしに相当する互いに異なる表示位置Ａ〜Ｄの出力画像＃１〜＃４を生成するので、安価で、かつ高速処理可能に構成することができる。
【００８８】
（第５実施の形態）
図２０は、本発明の第５実施の形態を説明するための図である。本実施の形態は、第４実施の形態において、画像表示部６０の画素ずらし部６６を、斜め方向に半画素シフトする２点画素ずらしを行うように構成したものである。このため、図２０に示すように、画素ずらし部６６を、液晶セル７１と、２枚の複屈折板７２ａおよび７２ｂとを有して構成し、出力画像の表示画素位置に応じて、画素ずらし制御部６１により液晶セル７１をＯＮ／ＯＦＦ制御する。ここで、複屈折板７２ａは、偏光面が水平方向の偏光（Ｐ偏光）を水平方向に半画素ピッチ分シフトさせ、偏光面が垂直方向の偏光（Ｓ偏光）は、そのまま透過させるものとする。また、複屈折板７２ｂは、Ｐ偏光を垂直方向に半画素ピッチ分シフトさせ、Ｓ偏光はそのまま透過させるものとする。
【００８９】
また、斜め方向に２点画素ずらしを行うため、図１３に示した出力画像メモリ部５８を２つの出力画像メモリ５８ａ，５８ｄで構成し、出力画像生成部５７において、画像拡大部５６から転送された４つの拡大部分画像＃１〜＃４から、図１７に示した「Ａ」を選択した画像（６４０×３６０）を合成してなる１２８０×７２０画素の出力画像＃１と、「Ｄ」を選択した画像（６４０×３６０）を合成してなる１２８０×７２０画素の出力画像＃４とを生成して、それぞれ対応する出力画像メモリ５８ａ，５８ｄに格納する。
【００９０】
このようにして、出力画像＃１を表示する際は、図２０（ａ）に示すように、液晶セル７１をＯＦＦとして、色合成部６５を経たＰ偏光のＲ，Ｇ，Ｂ変調光をＳ偏光に変換し、これにより、変調光を複屈折板７２ａ，７２ｂで画素シフトすることなく、そのまま透過させて、各画素を元の画素位置と同じ画素位置Ａに表示する。また、出力画像＃４を表示する際は、図２０（ｂ）に示すように、液晶セル７１をＯＮとして、色合成部６５を経たＰ偏光のＲ，Ｇ，Ｂ変調光をＰ偏光のまま透過させ、これにより、変調光を複屈折板７２ａで水平方向に半画素ピッチ分シフトさせ、さらに複屈折板７２ｂで垂直方向に半画素ピッチ分シフトさせて、各画素を元の画素位置から斜め方向に半画素ピッチシフトした画素位置Ｄに表示する。その他の構成および動作は、第４実施の形態と同様である。
【００９１】
本実施の形態によれば、２点画素ずらしとすることで、出力画像メモリ部５８のメモリ数を削減できるので、コストダウンおよび低消費電力化が図れる。したがって、特に、バッテリで駆動される携帯プロジェクタやデジタルカメラのＥＶＦに有効に使用することができる。
【００９２】
（第６実施の形態）
図２１は、本発明の第６実施の形態に係る画像表示装置の概略構成を示すブロック図である。本実施の形態は、デジタルカメラのＥＶＦに適用したもので、撮像部８１、画像分割部８２、メモリ８３、画像スケーリング部である画像縮小部８４、出力画像生成部８５、出力画像メモリ部８６、画像表示制御部８７、画像表示部８８、画素ずらし制御部８９、およびタイミングジェネレータ（ＴＧ）９０を有している。
【００９３】
撮像部８１は、Ｒ，Ｇ，Ｂ用の３板の撮像素子８１Ｒ，８１Ｇ，８１Ｂを有している。撮像素子８１Ｒ，８１Ｇ，８１Ｂの各々は、ＣＭＯＳセンサやＣＣＤで構成することができるが、ここでは、２５６０×１４４０画素のＣＭＯＳセンサで構成する。また、画像表示部８８は、ＲＧＢストライプ型のカラーフィルタを備える６４０×４８０×３（Ｒ，Ｇ，Ｂ）画素のＬＣＤからなる画像表示素子９１と、画像表示素子９１を照明する例えば白色ＬＥＤからなる白色光源９２と、画像表示素子９１による表示画素位置をシフトする画素ずらし部９３とを有している。
【００９４】
本実施の形態では、画素ずらし部９３を、第４実施の形態に示した画像ずらし部６６と同様に構成して、撮像素子８１Ｒ，８１Ｇ，８１Ｂで撮像して得た２５６０×１４４０画素のカラー画像を、６４０×４８０画素に縮小して、画像表示素子９１および画素ずらし部９３により４点画素ずらしして表示する。なお、撮像素子８１Ｒ，８１Ｇ，８１Ｂおよび画像表示素子９１は、上記以外のサイズのものを適用できることは、容易であるので、ここでは説明を省略する。
【００９５】
このため、撮像素子８１Ｒ，８１Ｇ，８１Ｂで撮像した２５６０×１４４０画素からなるＲ，Ｇ，Ｂの各撮像画像を、撮像部８１あるいは図示しない信号処理部において、相関２重サンプリング（ＣＤＳ）、自動利得制御（ＡＧＣ）、アナログ／デジタル変換（Ａ／Ｄ）等のフロントエンド処理や画像処理を行った後に、画像分割部８２に供給する。
【００９６】
画像分割部８２では、入力されたＲ，Ｇ，Ｂの各画像を、メモリ８３を用いて、図２２に示すように、互いに一部重複するように４分割して、それぞれ１２８４×７２４画素から成る４つの部分画像＃１〜＃４を生成し、これらの部分画像＃１〜＃４を画像縮小部８４に供給する。
【００９７】
画像縮小部８４は、画像分割部８２による画像分割数に対応する４つの画像縮小回路８４ａ〜８４ｄを有しており、これら画像縮小回路８４ａ〜８４ｄにより、１２８４×７２４画素の部分画像＃１〜＃４を、それぞれバイキュービック法などで、水平方向および垂直方向ともに、画素数を１／２にスケーリングして、図２３（ａ）〜（ｄ）に示すように、それぞれ６４２×３６２画素からなる４つの縮小部分画像（スケーリング部分画像）＃１〜＃４を生成する。
【００９８】
画像縮小部８４で生成した４つの縮小部分画像＃１〜＃４は、出力画像生成部８５に供給し、ここで第４実施の形態の場合と同様にして、４つの縮小部分画像＃１〜＃４に基づいて、画像表示部８８における画素ずらし数に応じた４つの出力画像＃１〜＃４を生成して、出力画像メモリ部８６の対応する出力画像メモリ８６ａ〜８６ｄに格納する。
【００９９】
このため、出力画像生成部８５では、先ず、各々の縮小部分画像を、図１７に示したように、奇数行（１，３，５，・・・行目）の奇数列（１，３，５，・・・列目）を「Ａ」、奇数行の偶数列（２，４，６，・・・列目）を「Ｂ」、偶数行（２，４，６，・・・行目）の奇数列を「Ｃ」、偶数行の偶数列を「Ｄ」とすると、各々の縮小部分画像から「Ａ」だけを選択した画像（３２１×１８１）、「Ｂ」だけを選択した画像（３２１×１８１）、「Ｃ」だけを選択した画像（３２１×１８１）、「Ｄ」だけを選択した画像（３２１×１８１）を生成できるが、ここでは各々の縮小部分画像から、重複部分が連続するように、各々３２０×１８０の画像を生成する。
【０１００】
その後、図２４（ａ）〜（ｄ）に示すように、縮小部分画像＃１〜＃４から「Ａ」を選択した画像（３２０×１８０）、「Ｂ」を選択した画像（３２０×１８０）、「Ｃ」を選択した画像（３２０×１８０）、「Ｄ」を選択した画像（３２０×１８０）を、各々の縮小部分画像の重複部分が連続するように合成して、それぞれ６４０×３６０画素からなる出力画像＃１〜＃４を生成し、それぞれ対応する出力画像メモリ８６ａ〜８６ｄに格納する。
【０１０１】
ここで、出力画像＃１〜＃４の各々は、６４０×３６０画素で、ＬＣＤからなる画像表示素子９１の有効画素（６４０×４８０）よりも少なくなっている。このため、本実施の形態では、図２５に示すように、画像表示素子９１の表示画面の一部（出力画像の画素が足りない部分）に、黒データを埋め込んで表示する。
【０１０２】
本実施の形態によれば、第４実施の形態と同様に、４つの出力画像＃１〜＃４を画像表示部８８において４点画素ずらしして表示するので、画像表示素子９１の実解像度を、水平方向および垂直方向にそれぞれ２倍にして表示することができる。しかも、２５６０×１４４０画素の入力画像を水平方向および垂直方向に４分割してから、それぞれ水平方向および垂直方向の画素数を１／２に縮小処理し、その縮小処理された４つの縮小部分画像から４点画素ずらしに相当する互いに異なる表示位置Ａ〜Ｄの出力画像＃１〜＃４を生成するので、安価で、かつ高速処理可能に構成することができる。
【０１０３】
（第７実施の形態）
図２６は、本発明の第７実施の形態に係る画像表示装置の概略構成を示すブロック図である。本実施の形態に係る画像表示装置は、第４実施の形態において、入力画像データの画素数と画像表示部６０の表示画素数とが整数倍の関係にない、すなわち、アスペクト比が異なっている。ここでは、入力画像データが、アスペクト比４：３の１６００×１２００画素、画像表示部６０の画像表示素子６３Ｒ，６３Ｇ，６３Ｂの各々が、アスペクト比１６：９の１９２０×１０８０画素とする。なお、図２６において、図１３と同様の作用を成す構成要素には、同一参照符号を付して説明を省略する。
【０１０４】
入力画像（１６００×１２００）は、第４実施の形態の場合と同様にして、画像分割部５４において、例えば、８０４×６０４画素の４つの部分画像に分割し、さらに、画像拡大部５６において、それぞれ１．５倍にスケーリングして、１２０６×９０６画素の４つの拡大部分画像を生成する。次に、４つの拡大部分画像は、出力画像生成部５７に供給して、該出力画像生成部５７において、互いに空間的にずれた１２００×９００画素からなる４つの出力画像＃１〜＃４を生成する。
【０１０５】
ここで、出力画像＃１〜＃４の各々は、１２００×９００画素で、画像表示部６０の画像表示素子６３Ｒ，６３Ｇ，６３Ｂの各々の画素数（１９２０×１０８０）よりも少なくなっている。このため、各画像表示素子において、表示エリアが無駄になり、４点画素ずらし後の観察画像から見ると、図２７に示すように、表示可能エリアが３８４０×２１６０画素であるのに対して、出力画像＃１〜＃４による表示エリアは２４００×１８００画素となり、無駄な表示エリアが存在する。
【０１０６】
そこで、本実施の形態では、図２６に示すように、出力画像生成部５７と画像表示制御部５９との間にスーパーインポーズ部１０１を設ける。スーパーインポーズ部１０１には、文字・図形保存部１０２を接続し、この文字・図形保存部１０２に、互いに空間的にずれた４つの出力画像＃１〜＃４に対応する、スーパーインポーズするための文字・図形・ロゴ・画像等の所要のデータを格納する。図２６では、文字・図形保存部１０２に、４つの出力画像＃１〜＃４に対応する４つの文字・図形メモリ１０２ａ〜１０２ｄを設け、文字・図形メモリ１０２ａに出力画像＃１に対応する所要のデータを、文字・図形メモリ１０２ｂに出力画像＃２に対応する所要のデータを、文字・図形メモリ１０２ｃに出力画像＃３に対応する所要のデータを、文字・図形メモリ１０２ｄに出力画像＃４に対応する所要のデータを、それぞれ格納する。
【０１０７】
このようにして、例えば、テレビ等の入力画像を表示する場合には、例えば、図２８に示すように、入力画像に基づく出力画像＃１〜＃４の表示エリア以外の表示エリアに、所要のデータとして画質モード等を示す文字データをスーパーインポーズして表示する。その他の構成および動作は、第４実施の形態の場合と同様である。
【０１０８】
本実施の形態によれば、入力画像データと画像表示部６０とでアスペクト比が異なる場合において、画像表示部６０の余った表示エリアに、入力画像データに関する所要のデータをスーパーインポーズして表示するようにしたので、第４実施の形態の効果に加えて、使い勝手を向上することができる。なお、図２６では、文字・図形保存部１０２に、４つの出力画像＃１〜＃４に対応する４つの文字・図形メモリ１０２ａ〜１０２ｄを設けたが、文字・図形保存部１０２は、メモリの読み出しを制御することにより、１つのメモリで構成することもできる。また、スーパーインポーズは、入力画像に基づく出力画像の表示エリア以外の余った表示エリアに限らず、入力画像に基づく出力画像の表示エリアに重畳することもできる。
【０１０９】
（第８実施の形態）
図２９は、本発明の第８実施の形態に係る画像表示装置の概略構成を示すブロック図である。本実施の形態は、図２１に示した第６実施の形態において、出力画像生成部８５と画像表示制御部８７との間に、第７実施の形態と同様に、スーパーインポーズ部１１１を設けるとともに、このスーパーインポーズ部１１１に接続して文字・図形保存部１１２を設けたものである。文字・図形保存部１１２には、互いに空間的にずれた４つの出力画像＃１〜＃４に対応する、スーパーインポーズするための文字・図形・ロゴ・画像等の所要のデータを格納する４つの文字・図形メモリ１１２ａ〜１１２ｄを設ける。
【０１１０】
これにより、本実施の形態では、例えば、図２５に示したように、出力画像＃１〜＃４の画素が足りない画像表示素子９１の表示画面部分に黒データを埋め込んで表示する代わりに、図３０に示すように、出力画像＃１〜＃４の表示エリア以外の表示エリアに、所要のデータとして撮像画像に関するＦナンバー、シャッタースピード等の撮像条件を示す文字データ等をスーパーインポーズしたり、あるいは、図示しないが、出力画像＃１〜＃４の表示エリア内に重畳して撮像条件を示す文字データ等をスーパーインポーズしたりして表示する。
【０１１１】
このように、本実施の形態では、画像表示部８８の表示エリアに、撮像画像に関する情報をスーパーインポーズするようにしたので、第６実施の形態の効果に加えて、使い勝手を向上することができる。
【０１１２】
なお、本発明は、上記実施の形態に限定されるものではなく、幾多の変形または変更が可能である。例えば、第３〜８実施の形態においても、第２実施の形態と同様に、画像分割部３２により４分割される部分画像の重複領域の幅を設定する画像分割パラメータ入力部を設けることもできる。また、入力画像の分割数は、必ずしも画素ずらし数と一致させる必要はない。さらに、第６〜８実施の形態においては、第５実施の形態と同様に、２点画素ずらしを行うように構成することもできる。
【図面の簡単な説明】
【０１１３】
【図１】本発明の第１実施の形態に係る画像表示装置の概略構成を示すブロック図である。
【図２】第１実施の形態による画像処理の概略動作を説明するための入力画像の概略図である。
【図３】同じく、部分画像の概略図である。
【図４】同じく、拡大部分画像の概略図である。
【図５】図３に示す部分画像から図４に示す拡大部分画像を形成する過程を説明するための図である。
【図６】同じく、出力画像の概略図である。
【図７】本発明の第２実施の形態に係る画像表示装置の概略構成を示すブロック図である。
【図８】同じく、第３実施の形態に係る画像表示装置の概略構成を示すブロック図である。
【図９】第３実施の形態による画像処理の概略動作を説明するための入力画像の概略図である。
【図１０】同じく、部分画像の概略図である。
【図１１】同じく、拡大部分画像の概略図である。
【図１２】同じく、出力画像の概略図である。
【図１３】本発明の第４実施の形態に係る画像表示装置の概略構成を示すブロック図である。
【図１４】図１３に示す画素ずらし部の概略構成および画素ずらし動作を示す斜視図である。
【図１５】図１３に示す画像分割部による画像分割処理を示す図である。
【図１６】図１３に示す画像拡大部による画像拡大処理を示す図である。
【図１７】図１３に示す出力画像生成部による出力画像生成処理を説明するための図である。
【図１８】同じく、出力画像生成部による出力画像生成処理を説明するための図である。
【図１９】図１３に示す画像表示部の動作を示すタイミング図である。
【図２０】本発明の第５実施の形態を説明するための図である。
【図２１】本発明の第６実施の形態に係る画像表示装置の概略構成を示すブロック図である。
【図２２】図２１に示す画像分割部による画像分割処理を示す図である。
【図２３】図２１に示す画像縮小部による画像縮小処理を示す図である。
【図２４】図２１に示す出力画像生成部による出力画像生成処理を説明するための図である。
【図２５】図２１に示す画像表示素子への出力画像の表示態様を示す図である。
【図２６】本発明の第７実施の形態に係る画像表示装置の概略構成を示すブロック図である。
【図２７】図２６に示す画像表示部における表示可能エリアと出力画像の画素ずらし表示エリアとの関係を示す図である。
【図２８】第７実施の形態によるスーパーインポーズ例を示す図である。
【図２９】本発明の第８実施の形態に係る画像表示装置の概略構成を示すブロック図である。
【図３０】第８実施の形態によるスーパーインポーズ例を示す図である。
【符号の説明】
【０１１４】
１１，３１  入力画像メモリ
１２，３２  画像分割部
１３，３４  画像拡大部
１４ａ，１４ｂ，３５ａ〜３５ｄ  拡大部分画像メモリ
１５，３６  出力画像生成部
１６，３７ａ〜３７ｄ  出力画像メモリ
１７，３８  画像表示部
１８，３９  画素ずらし制御部
１９，４０  タイミングジェネレータ（ＴＧ）
２１  画像分割パラメータ入力部
２２ａ，２２ｂ，３３ａ〜３３ｄ  部分画像メモリ
３４ａ〜３４ｄ  画像拡大回路
３６ａ〜３６ｄ  出力画像生成回路
５１  サンプリング部
５２  画像処理部
５３  フレームメモリ
５４  画像分割部
５５  メモリ
５６  画像拡大部
５７  出力画像生成部
５８  出力画像メモリ部
５９  画像表示制御部
６０  画像表示部
６１  画素ずらし制御部
６２  タイミングジェネレータ（ＴＧ）
６３Ｒ，６３Ｇ，６３Ｂ  画像表示素子
６４  光源部
６５  色合成部
６６  画素ずらし部
６７ａ，６７ｂ  液晶セル
６８ａ，６８ｂ  複屈折板
７１  液晶セル
７２ａ，７２ｂ  複屈折板
８１  撮像部
８１Ｒ，８１Ｇ，８１Ｂ  撮像素子
８２  画像分割部
８３  メモリ
８４  画像縮小部
８５  出力画像生成部
８６  出力画像メモリ部
８７  画像表示制御部
８８  画像表示部
８９  画素ずらし制御部
９０  タイミングジェネレータ（ＴＧ）
９１  画像表示素子
９２  白色光源
９３  画素ずらし部
１０１，１１１  スーパーインポーズ部
１０２，１１２  文字・図形保存部
【図１】
2008096956.tif 000003
【図２】
2008096956.tif 000004
【図３】
2008096956.tif 000005
【図４】
2008096956.tif 000006
【図５】
2008096956.tif 000007
【図６】
2008096956.tif 000008
【図７】
2008096956.tif 000009
【図８】
2008096956.tif 000010
【図９】
2008096956.tif 000011
【図１０】
2008096956.tif 000012
【図１１】
2008096956.tif 000013
【図１２】
2008096956.tif 000014
【図１３】
2008096956.tif 000015
【図１４】
2008096956.tif 000016
【図１５】
2008096956.tif 000017
【図１６】
2008096956.tif 000018
【図１７】
2008096956.tif 000019
【図１８】
2008096956.tif 000020
【図１９】
2008096956.tif 000021
【図２０】
2008096956.tif 000022
【図２１】
2008096956.tif 000023
【図２２】
2008096956.tif 000024
【図２３】
2008096956.tif 000025
【図２４】
2008096956.tif 000026
【図２５】
2008096956.tif 000027
【図２６】
2008096956.tif 000028
【図２７】
2008096956.tif 000029
【図２８】
2008096956.tif 000030
【図２９】
2008096956.tif 000031
【図３０】
2008096956.tif 000032